(57)【特許請求の範囲】
【請求項１】
裏面に裏面収納部を備える前板と一体で形成されて前板後方に収納部を有する外引出と、前記収納部の上方かつ裏面収納部より後方に配置されて前記外引出に連動して褶動可能な内引出と、によって構成されるキャビネットであって、
前記外引出は前記裏面収納部の両側に、それぞれ永久磁石支持部材を配置し、該永久磁石支持部材の後端に永久磁石を備え、
前記内引出は前面に磁性体を有するとともに、前記外引出より短い引き出し限界となるよう設定されており、
前記永久磁石支持部材と前記内引出の前面端部とが、前記外引出の引き出し動作中における前記内引出の引き出し限界まで係合されるようになり、前記外引出は、収納部を構成する背板の左右両側に、ネジ部材がそれぞれ固着されており、該ネジ部材に一端を螺合するネジ孔を有するとともに他端を前記前板の裏面に回動可能に遊嵌支持される棒状の調整部材をそれぞれ備え、
前記永久磁石支持部材は、前方端部に下向きに屈曲した嵌合部を設け、該嵌合部が前記前板裏面に上向きに屈曲して設けられた板状の屈曲部材に嵌合するようになっているとともに、前記永久磁石支持部材の底部が前記調整部材の前板裏面側の一部を被覆するように該調整部材上に配置されることを特徴とするキャビネット。
【請求項２】
前記外引出は、収納部を構成する側面板の前方に切欠部が設けられ、該切欠部に前記永久磁石支持部材が嵌合されるようになっていることを特徴とする請求項１に記載のキャビネット。
【請求項３】
前記永久磁石支持部材における永久磁石は、前記内引出の褶動手段となるレールより幅方向内側に配置されることを特徴とする請求項１または２に記載のキャビネット。
【発明の詳細な説明】
【技術分野】
【０００１】
本発明は、裏面収納部を備える前板の内側（後方）に収納部を有し、前後方向に褶動可能な外引出と、該外引出の収納部上方かつ裏面収納部より後方に配置されて外引出と同方向に褶動可能な内引出とを備えたキャビネットに関する。
【背景技術】
【０００２】
従来、キッチン等に設置される内引出を有するキャビネットには、外側の引出の前板内側に永久磁石が取り付けられ、同じく永久磁石もしくは磁性体を有する内引出が、外側の引出の引き出し動作に連動して引き出されるようになっているものがある。（例えば、特許文献１参照）。またキャビネットの引出の前板内側に、たとえば包丁や小物を収納する裏面収納部が設けられるものがある（例えば、特許文献２参照）。
【先行技術文献】
【特許文献】
【０００３】
【特許文献１】特開２００６−１４１７９６号公報
【特許文献２】特開２０１１−２１２２７４号公報
【発明の概要】
【発明が解決しようとする課題】
【０００４】
しかしながら、特許文献１にあるような内引出を有する引き出しを備えたキャビネットの前板内側に特許文献２にあるような裏面収納部を取り付けた場合、裏面収納部と干渉して外側の引出の前板内側に永久磁石を取り付けることができないため、磁力を利用して内引出を外側の引出の引き出し動作に連動させて引き出すことができないという問題があった。
【０００５】
本発明は、このような問題点に着目してなされたもので、外側の引出の前板内側に裏面収納部を配置しながらも、磁力を利用して外側の引出の引き出し動作に内引出を連動させることのできるキャビネットを提供することを目的とする。
【課題を解決するための手段】
【０００６】
前記課題を解決するために、本発明のキャビネットは、
裏面に裏面収納部を備える前板と一体で形成されて前板後方に収納部を有する外引出と、前記収納部の上方かつ裏面収納部より後方に配置されて前記外引出に連動して褶動可能な内引出と、によって構成されるキャビネットであって、
前記外引出は前記裏面収納部の両側に、それぞれ永久磁石支持部材を配置し、該永久磁石支持部材の後端に永久磁石を備え、
前記内引出は前面に磁性体を有するとともに、前記外引出より短い引き出し限界となるよう設定されており、
前記永久磁石支持部材と前記内引出の前面端部とが、前記外引出の引き出し動作中における前記内引出の引き出し限界まで係合されるようになり、前記外引出は、収納部を構成する背板の左右両側に、ネジ部材がそれぞれ固着されており、該ネジ部材に一端を螺合するネジ孔を有するとともに他端を前記前板の裏面に回動可能に遊嵌支持される棒状の調整部材をそれぞれ備え、
前記永久磁石支持部材は、前方端部に下向きに屈曲した嵌合部を設け、該嵌合部が前記前板裏面に上向きに屈曲して設けられた板状の屈曲部材に嵌合するようになっているとともに、前記永久磁石支持部材の底部が前記調整部材の前板裏面側の一部を被覆するように該調整部材上に配置されることを特徴としている。
この特徴によれば、裏面収納部の両端に永久磁石を端部に有する永久磁石支持部材が配置されることで、裏面収納部と永久磁石が干渉するのが防止されるため、前板内側に裏面収納部を配置しながらも内引出を外引出の引き出し動作に連動させることができる。また、内引出は外引出より短い引き出し限界となるよう設定されているため、内引出の引き出し限界を超えて外引出が引き出された場合、永久磁石と内引出の前面端部の係合が解かれ、外引出の収納部を利用することができる。また棒状の調整部材は軸方向の回動によりネジ孔にネジ部材が螺進もしくは螺退して前板と背板との距離を調整可能となっている。また、永久磁石支持部材は調整部材の前板裏面側の一部を被覆して見栄えを良くするとともに、前板裏面に設けられた屈曲部材に嵌合部が嵌合するため、永久磁石支持部材の回動が防止され、永久磁石を所定の位置に維持することができる。
【０００８】
本発明のキャビネットは、
前記外引出は、収納部を構成する側面板の前方に切欠部が設けられ、該切欠部に前記永久磁石支持部材が嵌合されるようになっていることを特徴としている。
この特徴によれば、永久磁石支持部材が側面板の切欠部に嵌合されるようになるため、前板と側面板により永久磁石支持部材の前後方向の移動を規制できる。
【０００９】
本発明のキャビネットは、
前記永久磁石支持部材における永久磁石は、前記内引出の褶動手段となるレールより幅方向内側に配置されることを特徴としている。
この特徴によれば、永久磁石が内引出のレールと干渉せず、スムーズな引き出しが可能である。
【図面の簡単な説明】
【００１０】
【図１】実施例１におけるキャビネットを示す斜視図である。
【図２】外引出を示す一部拡大斜視図である。
【図３】永久磁石支持部材を示す斜視図である。
【図４】前板と永久磁石支持部材が嵌合する様子を示す一部拡大斜視図である。
【図５】内引出とレールおよび永久磁石支持部材の位置関係を示す一部拡大正面図である。
【図６】外引出と内引出の係合状態を示す一部拡大斜視図であって、図（ａ）は、内引出が外引出に磁力で吸着係合している状態を、また、図（ｂ）は、内引出が外引出から離脱した状態を示している。
【発明を実施するための形態】
【００１１】
本発明に係るキャビネットを実施するための形態を実施例に基づいて以下に説明する。
【実施例】
【００１２】
実施例に係るキャビネットにつき、図１から図６を参照して説明する。以下、引出が引き出される側をキャビネットの前方側、引出が押し込まれる側をキャビネットの後方側として説明する。
【００１３】
図１の符号１は、本発明の適用されたキャビネットにおいて、キャビネット本体４内に収納配置された外引出である。この外引出１は、図１に示すように、前方側に引き出されて開口し、後方側に押し込まれて閉じるようにしてキャビネット本体４内に収納されている。この外引出１は、上端部に使用者が把持するための把手３０が取り付けられた前板８を有し、該前板８の後方には内部に皿や鍋等の収納物を収納可能な略方形状の収納部６が形成されている。また、外引出１の左右はキャビネット本体４の側板３，３により覆われている。
【００１４】
また、キャビネット本体４の側板３，３のそれぞれの内側には、図示しないレールが設けられている。これらのレールによって、外引出１は使用者の手前方向（前方向）に向けて所定の長さ引き出し可能に支持されており、収納部６の上方には後述する内引出２が外引出１の引き出し動作に連動可能に配置されている。
【００１５】
次に、外引出１について図２を用いて詳述する。
外引出１は前板８と背板７と底板９ならびに側板５，５により構成されており、前板８と底板９はここでは図示しないビスにより接合されており、同じく底板９と背板７も図示しないビスにより接合されている。
【００１６】
また、前板８の裏面には、収納部６内の収納物よりも使用頻度の高い、たとえば、まな板や包丁等の収納物を収納するための裏面収納部１０が取り付けられており、裏面収納部１０の上面は後方に向けて緩やかに下向き傾斜する湾曲面１０ａを構成するとともに、湾曲面の縁部１０ｂが底板に向けて垂直に屈曲するように形成されている（図４参照）。
【００１７】
側板５、５は、金属製の板を屈曲させてそれぞれ形成された側面板１３，１３、前板８と背板７との間に渡されるサイドバー１１，１１およびサイドギャラリ１２，１２から構成され、側面板１３，１３はその屈曲された上端がサイドギャラリ１２，１２を被覆するようにしてサイドギャラリ１２，１２に吊り支され、また、サイドバー１１，１１の長手方向両端部はここでは図示しない固定手段により前板８および背板７に固定されている。
【００１８】
また、側面板１３，１３の上端は後述するサイドキャップ１５，１５（本発明における「永久磁石支持部材」を構成する。）と干渉する部分１３ｃが切り欠かれている。
【００１９】
サイドギャラリ１２，１２は背板７に固着されたネジ部材１４，１４と、サイドギャラリ１２，１２における背板側の端部１２ｂ，１２ｂに螺設されたネジ孔１２２，１２２と、がネジ嵌合されるとともに、サイドギャラリ１２，１２における前板側の端部１２ａ，１２ａに穿設された円筒状の孔１２１，１２１に対し、前板の内側面８ａに設けられた棒状の突起８１，８１が嵌入することで、それぞれ支持されている。
【００２０】
また上記サイドギャラリ１２，１２およびネジ部材１４，１４により本発明における調整部材が構成されており、上述した構造によりサイドギャラリ１２，１２は、軸回転させることでネジ部材１４，１４がネジ孔１２２，１２２に対しそれぞれ螺進または螺退し、これに連動してサイドギャラリ１２，１２の長手方向の寸法を調整できるようになっており、経年変形による前板のあおりを調整することができる。
【００２１】
図４に示すように、前板８裏面の裏面収納部１０の両側には、金属板を上方に向けて屈曲させて形成した屈曲部材１６，１６がそれぞれ設けられており、この屈曲部材１６，１６に対し、サイドキャップ１５，１５が着脱自在に嵌合することにより、サイドキャップ１５，１５の前後方向ヘ移動を規制するようになっている。
【００２２】
続いて、サイドキャップ１５について図３および図４を用いて詳しく説明すると、サイドキャップ１５は、キャップ本体１５ａの前方端部に下向きに屈曲した嵌合部１５ｂが設けられ、前述した前板８裏面の屈曲部材１６と嵌合するようになっている。また、キャップ本体１５ａには、後述する内引出２との係合手段である永久磁石１７を有する係合部材２０がビス１００により固着されている。
【００２３】
キャップ本体１５ａは、上面が後方に向けて緩やかに下向き傾斜する湾曲面１５１となっておりを有するとともに、湾曲面１５１の縁部１５２が下方に向けて垂直に屈曲するように形成され、前述した裏面収納部１０の上面の湾曲面１０ａおよび湾曲面の縁部１０ｂと面一となるようになっている。
【００２４】
また、図４に示すように、サイドキャップ１５は前方を屈曲部材１６と嵌合するとともに、側面板１３，１３上端の切欠部１３ｃにより露出されたサイドギャラリ１２の前板側の端部１２ａを被覆するようにサイドギャラリ１２上に配置される。なお、サイドキャップ１５は、キャップ本体１５ａ内側の下方より下向きに屈曲して設けられた屈曲片１８、キャップ本体１５ａの下方を円弧状に切り欠いて設けられた切欠部１５ｄ、および係合部材２０の下方を円弧状に切り欠いて設けられた切欠部２０ａによりサイドギャラリ１２上に着脱自在に支持されるようになっている。なお、前述したサイドギャラリ１２，１２の軸回転によるサイドギャラリ１２，１２の長手方向の寸法調整は、サイドキャップ１５，１５を一旦取り外すことでサイドギャラリ１２，１２を露出させてから行われるようになっている。
【００２５】
係合部材２０はキャップ本体１５ａ下方より外引出１の後方に突出するとともに段状に形成されており、そのうち、下段部１９の上面が側面板１３の高さとほぼ面一となるように設計されている。さらに、サイドキャップ１５の前後方向の寸法と、前述した側面板１３に設けられた切欠部１３ｃの前後方向の寸法とがほぼ同寸であり、サイドキャップ１５が切欠部１３ｃに嵌合されるようになっている。
【００２６】
さらに、図４及び図５に示すように、係合部材２０における永久磁石１７は、サイドギャラリ１２より上方かつ幅方向の内側に位置して係合部材下段部１９より後方に突出してそれぞれ配置されている。
【００２７】
続いて内引出２について図１、５および６を用いて説明する。
内引出２は外引出１の前板８の後方において、外引出１の上方かつ裏面収納部１０より後方に配置されている。
【００２８】
また、内引出２は、収納物を載置する収納台２１を有し、該収納台２１の前面に磁性体２２，２２がそれぞれ設けられ、また、両側にレール部材２３，２３を備え、キャビネット本体４の側板３，３から内側に突出した支持部材２４に係合して前後に褶動可能に支持されている。なお、内引出２の引き出し限界は外引出１より短く設定されている。
【００２９】
図５に示すように、レール部材２３，２３はサイドギャラリ１２，１２のほぼ真上に配置されることになるが、前述したようにサイドキャップ１５，１５における永久磁石１７，１７は内引出２の磁性体２２に向けて突出して配置されているため、レール部材２３，２３と干渉しないようになっている。
【００３０】
本発明におけるキャビネットは、図６（ａ）に示すように、外引出１が完全に押し戻された状態（すなわちキャビネットの閉状態）において、裏面収納部１０およびサイドキャップ１５における湾曲面の縁部１５２と内引出２の収納台前面とが当接して永久磁石１７と磁性体２２とが磁力係合するようになっており、内引出２は外引出１の引き出し操作に連動される。
【００３１】
なお、このように外引出１の引き出し操作に内引出２が連動している際、サイドキャップ１５および永久磁石１７は内引出２方向へ引っ張られる態様となるが、前述した切欠部１３ｃの切欠面１３１にサイドキャップ１５における前面２０１が当接することでサイドキャップ１５の前方方向への移動を規制することができる。
【００３２】
上述したように、永久磁石１７と磁性体２２とが磁力係合した状態で外引出１の引き出し操作が行われた場合、内引出２は外引出１の引き出し操作に連動されるが、内引出２の引き出し限界は外引出１より短く設定されているために、内引出２の引き出し限界に達したのと同時に永久磁石１７と補強部材２２との係合が解かれる（図６（ｂ）参照。）。この状態で内引出２を後方に押し戻すことにより外引出１中の収納部６を開状態とすることができる。
【００３３】
このように本発明のキャビネットは、裏面に裏面収納部１０を備える前板８と一体で形成されて前板８の後方に収納部６を構成する外引出１と、外引出１の収納部の上方、かつ、前板８の裏面収納部１０より後方に配置されて外引出１と同方向に褶動可能な内引出２と、によって構成されるキャビネット４であって、外引出１は裏面収納部１０の両側に、それぞれサイドキャップ１５，１５を配置し、このサイドキャップ１５，１５の後端に永久磁石１７を備え、内引出２は前面端部に磁性体を有するとともに、外引出１より短い引き出し限界となるよう設定されており、サイドキャップ１５，１５と内引出２の前面端部とが、外引出１の引き出し動作中における内引出２の引き出し限界まで係合されるようになっている。このように、裏面収納部１０の両側端に永久磁石１７を有するサイドキャップ１５，１５が配置されることで、裏面収納部１０と永久磁石１７が干渉するのが防止されるため、前板８の後方に裏面収納部１０を配置しながらも、磁力により内引出２を外引出１の引き出し動作に連動させることができる。また、内引出２は外引出１より短い引き出し限界となるよう設定されているため、内引出２の引き出し限界を超えて外引出１が引き出された場合、永久磁石１７と内引出２の前面端部の係合が解かれ、外引出１の収納部６を利用できる。
【００３４】
また、外引出１は、収納部６を構成する背板７の左右両側に、ネジ部材１４，１４がそれぞれ固着されており、このネジ部材１４，１４に一端を螺合するネジ孔１２２，１２２を有するとともに他端を前板８の裏面に回動可能に遊嵌支持される棒状の調整部材（サイドギャラリ１２，１２）をそれぞれ備え、サイドキャップ１５，１５は、前方端部に下向きに屈曲した嵌合部１５ｂ，１５ｂを設け、この嵌合部１５ｂ，１５ｂが前板裏面に上向きに屈曲して設けられた板状の屈曲部材１６，１６に着脱自在に嵌合するようになっているとともに、サイドキャップ１５，１５の底部がサイドギャラリ１２，１２の前板裏面側の一部を被覆するようにサイドギャラリ１２，１２上に配置されるようになっている。このため、この棒状の調整部材（サイドギャラリ１２，１２）は軸方向の回動によりネジ孔１２２，１２２にネジ部材が螺進もしくは螺退して前板８と背板７との距離を調整可能となっている。また、サイドキャップ１５，１５はサイドギャラリ１２，１２の前板裏面側の一部を被覆して見栄えを良くするとともに、前板裏面に設けられた屈曲部材１６，１６に嵌合部１５ｂ，１５ｂが嵌合するため、サイドキャップ１５，１５の回動が防止され、永久磁石１７を所定の位置に維持することができる。
【００３５】
また、外引出１は、収納部６を構成する側面板１３，１３の前方に切欠部１３ｃ，１３ｃが設けられ、この切欠部１３ｃ，１３ｃにサイドキャップ１５，１５が嵌合されるようになっているので、サイドキャップ１５，１５が側面板１３，１３の切欠部１３ｃ，１３ｃに嵌合されるようになるため、前板８と側面板１３，１３によりサイドキャップ１５，１５の前後方向へ移動を規制ができる。
【００３６】
また、サイドキャップ１５，１５における永久磁石１７，１７は、内引出２の褶動手段となるレール（レール部材２３）より幅方向内側に配置されるため、永久磁石１７が内引出２のレール部材２３と干渉せず、スムーズな引き出しが可能である。
【００３７】
また、たとえば前板８の経年変形により永久磁石１７と磁性体２２とが離れてしまい、磁力結合が困難になった場合、サイドギャラリ１２，１２の長手方向の寸法を短く調整することで、前板のあおりが調整され、永久磁石１７と磁性体２２とが磁力係合可能な状態に復帰させることができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
実施例においては、サイドキャップ１５，１５に永久磁石１７が設けられ、内引出２の前面に磁性体２２が設けられるような態様になっているが、本発明はこの限りではなく、たとえば、内引出２の前面に永久磁石を設け、サイドキャップ１５，１５に磁性体を設けるようにしてもよく、さらには、内引出２の前面にも永久磁石を設けて、永久磁石同士を磁力係合させる態様としてもよい。
【符号の説明】
【００４０】
１                外引出
２                内引出
３                側板
４                キャビネット本体
６                収納部
８                前板
８ａ              前板内側面
１０              裏面収納部
１１              サイドバー
１２              サイドギャラリ
１３              側面板
１３ａ            屈曲部
１３ｃ            切欠部
１５              サイドキャップ（永久磁石支持部材）
１５ａ            キャップ本体
１５ｂ            嵌合部
１５ｃ            被覆部
１６              屈曲部材
１７              永久磁石
２１              収納台
２２              磁性体
１３１            切欠面
１５１            湾曲面
１５２            縁部
【図１】
0005885519.tif 000002
【図２】
0005885519.tif 000003
【図３】
0005885519.tif 000004
【図４】
0005885519.tif 000005
【図５】
0005885519.tif 000006
【図６】
0005885519.tif 000007